(57)【特許請求の範囲】
【請求項１】
誘導加熱コイルと、前記誘導加熱コイル上方に設けられ鍋が載置されるトッププレートと、前記トッププレート上に前記誘導加熱コイルの位置を示すため前記トッププレート下面に配置され略リング状の発光体と、前記誘導加熱コイルの火力が指定される操作部と、前記誘導加熱コイルの火力を指定された火力に制御する制御装置と、前記誘導加熱コイルの火力を表示する表示手段と、を備え、
電源オフの状態では、前記制御装置は、前記発光体を消灯し、
電源オンの状態では、前記制御装置は、加熱停止中には、前記発光体の輝度を下げて前記鍋の載置位置を点灯し、加熱を開始すると前記発光体の輝度を加熱停止中より上げて前記鍋の外周近傍を点灯する誘導加熱調理器。
【請求項２】
前記発光体の少なくとも一部は前記表示手段の近傍に位置し、
前記誘導加熱コイル及び前記トッププレートの前記誘導加熱コイル上面が高温になると、前記制御装置は、加熱を停止し前記発光体の輝度を下げるとともに、前記表示手段は、警告報知を行う請求項１に記載の誘導加熱調理器。
【請求項３】
故障検知手段を備え、前記故障検知手段により故障を検知すると、前記表示手段は、警告報知を行うとともに、前記制御装置は、加熱を停止し、電源オンの状態であっても、前記発光体を消灯する請求項２に記載の誘導加熱調理器。
【請求項４】
前記発光体の消灯時には、前記発光体が見えないように前記トッププレートに印刷をした請求項１〜３のいずれか１項に記載の誘導加熱調理器。
【請求項５】
前記発光体の少なくとも一部は前記表示手段の近傍に位置し、
前記制御装置は、点灯する際には、前記発光体の輝度を徐々に上げ、または、消灯する際には、前記発光体の輝度を徐々に下げるとともに、
前記表示手段は、点灯する際には、火力の表示を瞬時に点灯し、または、消灯する際には、瞬時に火力の表示を消灯する請求項１〜４のいずれか１項に記載の誘導加熱調理器。
【請求項６】
複数の前記誘導加熱コイルを備え、前記制御装置は、加熱中の前記誘導加熱コイルに近接する前記発光体の輝度を上げて前記鍋の外周近傍を点灯し、且つ、他の加熱停止中の前記誘導加熱コイルに近接する前記発光体の輝度を加熱中の前記誘導加熱コイルに近接する前記発光体の輝度より下げて前記鍋の外周近傍を点灯する請求項１〜５のいずれか１項に記載の誘導加熱調理器。
【発明の詳細な説明】
【技術分野】
【０００１】
本発明は、誘導加熱調理器の表示に関するものである。
【背景技術】
【０００２】
従来、この種の誘導加熱調理器としては、例えば、特許文献１に記載されているものがある。
【０００３】
図１１に誘導加熱調理器の構造図を示す。
【０００４】
キッチンカウンター１０１の天面に載置された結晶化ガラス製の天面プレート１０２と天面プレート１０２の下方に設けられ外郭ケース１０４内に複数の誘導加熱装置１０５ａ、１０５ｂ、１０５ｃを配設した本体ユニット１０３を備え、制御装置１０６は電源コード１０７によって電源供給され、制御動作を行う。また、制御装置１０６に操作指示するための操作ユニット１０８は、通信線１０９で制御装置１０６と結線されている。
【０００５】
図１２に誘導加熱調理器の操作部を示す。
【０００６】
３口の誘導加熱部１０９ａ、１０９ｂ、１０９ｃの上方外周円に沿ってそれぞれ光るリング状発光体１１０ａ、１１０ｂ、１１０ｃを配置している。一方、天面プレート１０２の表面には、印刷などで誘導加熱装置の配置された位置を視覚的に認知させる事をしていない。主電源スイッチ１１１をＯＮにすると、リング状発光体１１０ａ、１１０ｂ、１１０ｃが点滅する。リング状発光体１１０ａ，１１０ｂ，１１０ｃが点滅発光中に、それぞれの操作部１１２ａ、１１２ｂ、１１２ｃを操作して加熱キー（図示せず）をＯＮにするとリング状発光体１１０ａ、１１０ｂ、１１０ｃが点灯発光する。
【０００７】
また、特許文献２に記載されているものがある。
【０００８】
図１３に加熱調理器である誘導加熱調理器の平面図を示す。
【０００９】
図１１、図１２で説明した従来例と同様の構成部分は省略する。
【００１０】
電気絶縁性を有し光を透過する材料で形成されたトッププレート１１３上に加熱領域表示１１４ａ、１１４ｂが印刷されており、加熱領域表示１１４ａ、１１４ｂ上に載置された被加熱物（図示せず）を誘導加熱するヒーター部１１５ａ、１１５ｂが設けられている。トッププレート１１３前方には制御命令を入力する操作ボタン１１６〜１２１が配置されている。
【００１１】
図１４に左ヒーター部１１５ａの火力を設定する表示部を示す。トッププレート１１３裏面には操作ボタン１１６〜１１８のそれぞれに対応する導電体検知部１１６ａ〜１１８ａが遮光性のある導電体塗料を塗布して形成されている。それぞれ火力ダウンボタン１１６、火力アップボタン１１７、切／入ボタン１１８が設けられ、各ボタンに対応する導電体検知部１１６ａ〜１１８ａには、そのいずれかが押された（触れられた）場合に火力を表示する表示部１１９がある。導電体塗料は枠形状の枠表示部１１６ｂ〜１１８ｂとボタン表示部１１６ｃ〜１１８ｃのみくり抜いて形成される。
【００１２】
枠表示部１１６ｂ〜１１８ｂ下方から発光すると導電体塗料は遮光性があるため光を透過せず、枠表示部１１６ｂ〜１１８ｂ及びボタン表示部１１６ｃ〜１１８ｃのみがくり抜いてあるため光を通し、枠とボタンの模様が浮かび上がるので操作ボタンとして認知される（図１４に発光領域を斜線で表示）。
【００１３】
この構成において、電源がオフ状態では枠表示部１１６ｂ〜１１８ｂ下方から発光せず枠表示部１１６ｂ〜１１８ｂ及びボタン表示部１１６ｃ〜１１８ｃは使用者から見えないので操作ボタンとして認知されない。電源がオン状態では枠表示部１１６ｂ〜１１８ｂ下方から発光して枠表示部１１６ｂ〜１１８ｂ及びボタン表示部１１６ｃ〜１１８ｃが使用者に見えるようになり、操作ボタン１１６〜１２１に割り当てられた命令を表示する。
【００１４】
また、枠表示部１１６ｂと１１７ｂで異なる色で下方から発光し、操作ボタン１１６〜１２１を色で区別する。
【先行技術文献】
【特許文献】
【００１５】
【特許文献１】特開２０１０−２１０１６３号公報
【特許文献２】国際公開第２００８／１４９５６０号
【発明の概要】
【発明が解決しようとする課題】
【００１６】
しかしながら、１つ目の背景技術ではリング状発光体１１０と操作部１１２の位置が規定されておらず、操作部１１２の配置によっては、操作部１１２を操作して加熱を開始する際、どの誘導加熱装置１０５が動作するのか明確でなく使用者が誤って所望ではない誘導加熱装置１０５を動作させる事がある。
【００１７】
また、加熱停止中のリング状発光体１１０の点滅は使用者に機器の故障と誤解されやすく適切な表示方法とは言えない。
【００１８】
さらに、加熱状態を表示する表示部がリンク状発光体１１０の近傍にある場合、リング状発光体１１０が点滅すると表示部が見にくく、警告表示などが見落とされやすい。
【００１９】
２つ目の背景来技術では、操作ボタン１１６〜１２１の発光色を変えて発光し操作可能
なボタンを目立つようにしているが、やはりヒーター部１１５と該当のヒーター部１１５の制御命令を入力する操作ボタン１１６〜１２１の位置関係が規定されていないため、１つ目の背景技術と同様の課題を有していた。
【００２０】
本発明は、前記従来の課題を解決するもので、警告の重要度に応じて警告表示の強調度合いを強める事ができる誘導加熱調理器を提供することを目的とする。
【課題を解決するための手段】
【００２１】
本発明は、前記従来の課題を解決するために、本発明の誘導加熱調理器は、誘導加熱コイルと、前記誘導加熱コイル上方に設けられ鍋が載置されるトッププレートと、前記トッププレート上に前記誘導加熱コイルの位置を示すため前記トッププレート下面に配置された略リング状の発光体と、前記誘導加熱コイルの火力が指定される操作部と、前記誘導加熱コイルの火力を指定された火力に制御する制御装置と、前記誘導加熱コイルの火力を表示する表示手段と、を備え、電源オフの状態では、前記制御装置は、前記発光体を消灯し、電源オンの状態では、前記制御装置は、加熱停止中には、前記発光体の輝度を下げて前記鍋の載置位置を点灯し、加熱を開始すると前記発光体の輝度を加熱停止中より上げて前記鍋の外周近傍を点灯するとしたものである。
【００２２】
これによって、前記発光体の光は前記トッププレートを透過して前記トッププレート上に略リング状に表示され表示部より発光面積の大きい略リング状の発光体の輝度状態により誘導加熱コイルの加熱状態を判別できる事ができる。また、略リング状の発光体が誘導加熱コイルの位置を示すために配置されている事から、使用者は誘導加熱コイルの状態を略リング状の表示を見ながら確認できるため、使用者が勘違いをして所望の誘導加熱コイルとは異なる誘導加熱コイルの加熱状態を見て、意図しない誘導加熱コイルの加熱をしてしまうといった誤操作が低減できる。
【発明の効果】
【００２３】
本発明の誘導加熱調理器は、表示部より発光面積の大きい略リング状の発光体の輝度状態により誘導加熱コイルの加熱状態を判別できる事に加え、トッププレート温度が高温になり使用者が意図せず加熱を停止した際には発光体の輝度を下げるため近傍の警告表示が強調され、使用者に警告表示を知らせやすくなる。さらに故障により加熱を停止するなど、より強い警告が必要な場合は、発光体を消灯して警告表示をより強調する。これにより警告の重要度に応じて警告表示の強調度合いを強める事ができる。
【００２４】
略リング状の発光体が誘導加熱コイルの位置を示すために配置されている事から、使用者は誘導加熱コイルの状態を略リング状の表示を見ながら確認できるため、使用者が勘違いをして所望の誘導加熱コイルとは異なる誘導加熱コイルの加熱状態を見て、意図しない誘導加熱コイルの加熱をしてしまうといった誤操作を防ぐことができる。
【００２５】
また、発光体の輝度が徐々に変化するのに対し、発光体と近接する表示部の火力表示は瞬時に変化するため、発光体の輝度が徐々に変化する様子が際立ち、火力が徐々に変化する様子がイメージしやすい。
【図面の簡単な説明】
【００２６】
【図１】実施の形態１〜３における誘導加熱調理器の分解斜視図
【図２】実施の形態１〜３における誘導加熱調理器の発光体平面図
【図３】実施の形態１〜３における誘導加熱調理器の構成を示すブロック図
【図４】実施の形態１〜３における誘導加熱調理器の表示の代表例を示す図
【図５】実施の形態１〜３における誘導加熱調理器の表示の代表例を示す図
【図６】実施の形態１〜３における誘導加熱調理器の表示の代表例を示す図
【図７】実施の形態２における誘導加熱調理器の表示の代表例を示す図
【図８】実施の形態２における誘導加熱調理器の表示の代表例を示す図
【図９】実施の形態３における誘導加熱調理器の表示の代表例を示す図
【図１０】実施の形態３における誘導加熱調理器の表示の代表例を示す図
【図１１】従来の誘導加熱調理器の構造図
【図１２】従来の誘導加熱調理器の操作部を示す図
【図１３】従来の誘導加熱調理器の平面図
【図１４】従来の誘導加熱調理器の表示部を示す図
【発明を実施するための形態】
【００２７】
第１の発明は、誘導加熱コイルと、前記誘導加熱コイル上方に設けられ鍋が載置されるトッププレートと、前記誘導加熱コイルの位置を示すため前記トッププレート下面に配置され略リング状の発光体と、前記誘導加熱コイルの火力が指定される操作部と、前記誘導加熱コイルの火力を指定された火力に制御する制御装置と、前記誘導加熱コイルの火力を表示する表示手段と、を備え、電源オフの状態では、前記制御装置は、前記発光体を消灯し、電源オンの状態では、前記制御装置は、加熱停止中には、前記発光体の輝度を下げて前記鍋の載置位置を点灯し、加熱を開始すると前記発光体の輝度を加熱停止中より上げて前記鍋の外周近傍を点灯する構成とした。これにより前記発光体の光は前記トッププレートを透過して前記トッププレート上に略リング状に表示され表示部より発光面積の大きい略リング状の発光体の輝度状態により誘導加熱コイルの加熱状態を判別する事ができる。また、略リング状の発光体が誘導加熱コイルの位置を示すために配置されている事から、使用者は誘導加熱コイルの状態を略リング状の表示を見ながら確認できるため、使用者が勘違いをして所望の誘導加熱コイルとは異なる誘導加熱コイルの加熱状態を見て、意図しない誘導加熱コイルの加熱をしてしまうといった誤操作が低減できる。
【００２８】
第２の発明は、特に、第１の発明において前記発光体の少なくとも一部は前記表示手段の近傍に位置し、前記誘導加熱コイル及び前記トッププレートの前記誘導加熱コイル上面が高温になると、前記制御装置は、加熱を停止し前記発光体の輝度を下げるとともに、前記表示手段は、に警告報知を行う構成とした。これによりトッププレート温度が高温になり使用者が意図せず加熱を停止した際には発光体の輝度を下げるため近傍の警告表示が強調され、使用者に警告表示を知らせやすくなる。
【００２９】
第３の発明は、特に、第２の発明において故障検知手段を備え、前記故障検知手段により故障を検知すると、前記表示手段は、警告報知を行うとともに、前記制御装置は、加熱を停止し、電源オンの状態であっても、前記発光体を消灯する構成とした。これにより、故障により加熱を停止するなど、より強い警告が必要な場合は、発光体を消灯して警告表示をより強調する。これにより警告の重要度に応じて警告表示の強調度合いを強める事ができる。
【００３０】
第４の発明は、特に、第１〜３のいずれか１つの発明において前記発光体の消灯時には、前記発光体が見えないように前記トッププレートに印刷をした。これにより、発光体が消灯している間は発光体による略リング状の表示が使用者に見えずデザイン性の高い調理加熱器を実現できる。
【００３１】
第５の発明は、特に、第１〜４のいずれか１つの発明において前記発光体の少なくとも一部は前記表示手段の近傍に位置し、前記制御装置は、点灯する際には、前記発光体の輝度を徐々に上げ、または、消灯する際には、前記発光体の輝度を徐々に下げるとともに、前記表示手段は、点灯する際には、火力表示を瞬時に点灯し、または、消灯する際には、火力表示を瞬時に消灯する構成とした。これにより、発光体の輝度が徐々に変化するのに対し、発光体と近接する表示部の火力表示は瞬時に変化するため、発光体の輝度が徐々に
変化する様子が際立ち、火力が徐々に高まる様子がイメージしやすい。
【００３２】
第６の発明は、特に、第１〜５のいずれか１つの発明において、複数の前記誘導加熱コイルを備え、前記制御装置は、加熱中の前記誘導加熱コイルに近接する前記発光体の輝度を上げて前記鍋の外周近傍を点灯し、且つ、他の加熱停止中の前記誘導加熱コイルに近接する前記発光体の輝度を加熱中の前記誘導加熱コイルに近接する前記発光体の輝度より下げて前記鍋の外周近傍を点灯する構成とした。これにより、炎が出ない電磁誘導加熱の場合に、鍋外周近傍を点灯する略リング状の表示の明るさにより複数の誘導加熱コイルの加熱状態を各々判別できるので、使用者が勘違いをして所望の誘導加熱コイルとは異なる誘導加熱コイルの加熱状態を見て、意図しない誘導加熱コイルに火力の出力をしてしまうといった誤操作が低減できる。
【００３３】
以下、本発明の実施の形態について、図面を参照しながら説明する。なお、本実施の形態によって、本発明が限定されるものではない。
【００３４】
（実施の形態１）
図１、図２、図３に本発明の第１の実施の形態における誘導加熱調理器を示す。
【００３５】
図１は本実施の形態における誘導加熱調理器の構成を示す分解斜視図である。外郭を構成する本体１の上面には、耐熱強化ガラスからなるトッププレート２が配設されている。トッププレート２の裏面には透光性塗料が印刷されている。本体１内のトッププレート２の下面にはトッププレート２上方に載置された鍋３を加熱する２つの誘導加熱コイル４、５と１つのラジェントヒーター６からなる加熱手段が配設されている。
【００３６】
誘導加熱コイル４、５の周囲に配置する発光体７、８があり、本体１の手前には、２つの誘導加熱コイル４、５に対応して操作部１０、表示部（表示手段）１１が左右方向に一列に並ぶように設けられている。
【００３７】
誘導加熱コイル４、５には、トッププレート２に接触してトッププレート２の温度を測定するサーミスタ（温度検知手段）１２、１３が設けられている。
【００３８】
誘導加熱コイル４、５とラジェントヒーター６は、誘導加熱コイル５の下方に配置され、操作部１０より操作信号を受け取る制御部（制御装置）１４により制御される。
【００３９】
図２は発光体７、８の平面図である。
【００４０】
発光体７、８は光透過性の高い樹脂で構成された導光板１５とＬＥＤ１６からなり、ＬＥＤ１６の光を導光板１５の端面に入射すると、光は導光板１５を通って入射した方と反対の端面まで導光される。
【００４１】
図３は誘導加熱調理器の構成を示すブロック図である。
【００４２】
誘導加熱コイル４と、誘導加熱コイル４に高周波電流を供給するインバータ１７と、インバータ１７に整流器１８を介して電力を供給する交流電源１９と、交流電源１９から整流器１８を介して供給される入力電流およびインバータ１７から誘導加熱コイル４に供給される出力電流を検知する電流検知部２０と、電流検知部２０からの入出力電流検知信号などに基づきインバータ１７を駆動制御する制御部１４と、各電極２９の静電容量を検知する静電容量検知部２１と、静電容量検知部２１において検知された静電容量検知信号および電流検知部２０において検知された入出力電流検知信号などを記憶する記憶部２２と、トッププレート２裏面の温度を検知するサーミスタ１２を有して構成されている。
【００４３】
静電容量検知部２１は、各電極２９に高周波信号を供給する高周波信号発生器２５と、各電極２９からの高周波電流を整流する整流部２５と、整流部２５において整流された直流電圧を検知する電圧検知部２６とを有して構成されている。
【００４４】
各電極２９は、静電容量検知部２１の高周波信号発生部２４からの高周波信号が供給されるとともに、各電極２９の静電容量を検出するために整流部２５に電気的に接続されている。
【００４５】
図４、図５、図６は表示の代表例を示す図である。
【００４６】
電源オフの状態では、発光体７、８は消灯しているため、図４に示すようにトッププレート２には何も表示されない。電源オンの状態では、図５に示すように発光体７、８は５０％の低輝度で発光する。トッププレート２は透光性を持つため、発光体７、８が発光すると導光板１５の光がトッププレート２を透過してトッププレート２上に略リング状の表示２７、２８が現れる。次に操作部１０で左の誘導加熱コイル４の加熱を開始する操作を行い、加熱を開始すると図６に示すように左の発光体７は１００％の高輝度で発光する。左の略リング状の表示２７は加熱していない右の略リング状の表示２８と比べて高輝度でトッププレート２上に現れる。この時、表示部１１の左には左の誘導加熱コイル４の火力を表示する。
【００４７】
これにより表示部１１より発光面積の大きい略リング状の表示２７、２８の明るさにより加熱手段の加熱状態を判別できる。略リング状の表示２７、２８が誘導加熱コイル４、５の位置を示すために配置されている事から、使用者は加熱手段の状態を加熱手段を見ながら確認できるため、使用者が勘違いをして所望の加熱手段とは異なる加熱手段の加熱状態を見て、意図しない加熱手段の加熱をしてしまうといった誤操作が低減できる。
【００４８】
（実施の形態２）
図７、図８に表示の代表例を示す。
【００４９】
第１の実施例と同一部分には同一符合を付して説明を省略し、以下異なる部分についてのみ説明する。
【００５０】
図６に示すように左の誘導加熱コイル４が加熱中の場合、発光体７は１００％の高輝度で発光している。サーミスタ１２が高温を検知すると、制御部１４に高温情報を伝え、制御部１４はサーミスタ１２の検知温度に応じて、左の誘導加熱コイル４の火力を低減または停止する。この際、図７のように発光体７は５０％の低輝度で発光する。輝度を１００％から５０％に変化させる際、１０ｍｓ毎に５％ずつ輝度を低下させ、トッププレート２上の略リング状の表示２７を徐々に明るさを変化させる。
【００５１】
また、サーミスタ１２が断線して温度検知ができない場合は、図８に示すように発光体７を消灯し、表示部１１にはエラーである事を知らせるために「Ｈ」表示を行う。
輝度を１００％から消灯させる際も、１０ｍｓ毎に５％ずつ輝度を低下させ、トッププレート２上の略リング状の表示２７を徐々に消灯する。
【００５２】
表示部１１の表示は瞬時に火力表示から「Ｈ」表示に切替える。
【００５３】
これによりトッププレート２の温度が高温になり使用者が意図せず加熱を停止した際には発光体の輝度を下げるため近傍の警告表示が強調され、使用者に警告表示を知らせやすくなる。さらに故障により加熱を停止するなど、より強い警告が必要な場合は、発光体を
消灯して警告表示をより強調する。これにより警告の重要度に応じて警告表示の強調度合いを強める事ができる。
【００５４】
また、発光体の輝度が徐々に変化するのに対し、発光体と近接する表示部の火力表示は瞬時に変化するため、発光体の輝度が徐々に変化する様子が際立ち、火力が徐々に高まる様子がイメージしやすい。
【００５５】
（実施の形態３）
第１、第２の実施例と同一部分には同一符合を付して説明を省略し、以下異なる部分についてのみ説明する。
【００５６】
電源オフの状態では、発光体７、８は消灯しているため、図４に示すようにトッププレート２には何も表示されない。電源オンの状態では、図９のように発光体７、８は青色で発光する。トッププレート２は透光性を持つため、発光体７、８が発光すると導光板１５の光がトッププレート２を透過してトッププレート２上に略リング状の表示２７、２８に青色が現れる。次に操作部１０で左の誘導加熱コイル４の加熱を開始する操作を行い、加熱を開始すると図１０に示すように左の発光体７は赤色で発光する。左の略リング状の表示２７は赤色でトッププレート２上に現れる。この時、表示部１１の左には左の誘導加熱コイル４の火力を表示する。
【００５７】
これにより表示部１１より発光面積の大きい略リング状の表示２７、２８の色の変化により加熱手段の加熱状態を判別できる。略リング状の表示２７、２８が誘導加熱コイル４、５の位置を示すために配置されている事から、使用者は加熱手段の状態を加熱手段を見ながら確認できるため、使用者が勘違いをして所望の加熱手段とは異なる加熱手段の加熱状態を見て、意図しない加熱手段の加熱をしてしまうといった誤操作が低減できる。
【００５８】
本発明は上記し且つ図面に記載した実施の形態にのみ限定されるものではなく、次のような変形または拡張が可能である。加熱装置は誘導加熱装置に限らない。発光手段もＬＥＤに限らない。
【００５９】
ＬＥＤの明るさは実施の形態に示した割合に限らず、任意の明るさで発光できる。ＬＥＤの発光色についても任意の色で発光できる。
【産業上の利用可能性】
【００６０】
以上のように、本発明にかかる誘導加熱調理器は加熱状態の変化を略リング状の表示で表しているため、同様に状態が変化する炊飯器やホームベーカリーでも適用できる。
【符号の説明】
【００６１】
２  トッププレート
４、５  誘導加熱コイル
７、８  発光体
１０  操作部
１１  表示部（表示手段）
１２  サーミスタ
１４  制御部（制御装置）
１５  導光板
１６  ＬＥＤ
２７、２８  略リング状の表示
【図１】
0005884008.tif 000002
【図２】
0005884008.tif 000003
【図３】
0005884008.tif 000004
【図４】
0005884008.tif 000005
【図５】
0005884008.tif 000006
【図６】
0005884008.tif 000007
【図７】
0005884008.tif 000008
【図８】
0005884008.tif 000009
【図９】
0005884008.tif 000010
【図１０】
0005884008.tif 000011
【図１１】
0005884008.tif 000012
【図１２】
0005884008.tif 000013
【図１３】
0005884008.tif 000014
【図１４】
0005884008.tif 000015